(57)【特許請求の範囲】
【請求項１】
以下の工程（Ａ）から（Ｅ）を含むイオンクロマトグラフィによる陰イオン測定方法。
（Ａ）炭酸塩を含有する溶離液中に、アシル基を有する有機酸であって、酢酸、プロピオン酸、クエン酸、コハク酸、安息香酸ナトリウム、酢酸アンモニウム、馬尿酸ナトリウム、酒石酸、リンゴ酸、マロン酸及び１８−クラウン−６エーテルからなる群から選ばれた有機酸を添加することにより、前記有機酸を添加しない前記溶離液からなる移動相に比べて炭酸塩に起因するウォーターディップが軽減された移動相を調製する工程、
（Ｂ）測定対象イオンとして少なくともフッ化物イオンを含み、前記移動相の導電率よりも低い導電率をもつ試料溶液を調製する工程、
（Ｃ）前記試料溶液を前記移動相により分離カラムに導入して試料成分イオンに分離させる工程、
（Ｄ）前記分離カラムからの溶出液をサプレッサに導入して溶出液中の炭酸塩を炭酸に変換する工程、及び
（Ｅ）前記サプレッサを経た溶出液を導電率検出器に導いて溶出液中の陰イオンの導電率を検出する工程。
【請求項２】
前記有機酸として、酢酸、プロピオン酸、コハク酸、安息香酸ナトリウム、酢酸アンモニウム、酒石酸、リンゴ酸、マロン酸及び１８−クラウン−６エーテルからなる群から選ばれた有機酸を使用する請求項１に記載の陰イオン測定方法。
【請求項３】
前記有機酸として、クエン酸及び馬尿酸ナトリウムのうちのいずれかを使用する請求項１に記載の陰イオン測定方法。
【請求項４】
前記有機酸として、クエン酸、コハク酸、酒石酸及び１８−クラウン−６エーテルからなる群から選ばれた有機酸を使用する請求項１に記載の陰イオン測定方法。
【発明の詳細な説明】
【技術分野】
【０００１】
本発明は、イオンクロマトグラフィにより試料溶液中の陰イオン、特にフッ化物イオンを定量的に測定するための方法に関するものである。
【背景技術】
【０００２】
イオンクロマトグラフィは、無機イオンの分析法としてきわめて優れた分析法であり、近年急速に普及しつつある。イオンクロマトグラフィは、液体クロマトグラフィを応用した分析法であり、通常、イオン交換クロマトグラフィ（イオンペアクロマトグラフィを含む）による分離の後、電気伝導度検出法により検出することで、高感度化と高選択性化の両方を図っている。【０００３】
イオンクロマトグラフィで、低ｐＨ領域での測定を可能にして適用対象試料の範囲を拡大する方法として、炭酸水素ナトリウムと炭酸ナトリウムの混合溶液のような炭酸塩を含有する溶離液を移動相に用いる方法が知られている（特許文献１参照。）。【０００４】
このような溶離液を移動相に用いて無機陰イオンの分析を行なうと、特にフッ化物イオンを測定する場合、最も早く溶出するフッ化物イオンのピークが現れる前ではあるが、フッ化物イオンのピークが測定されるべき位置付近にベースラインの乱れ（以下、ウォーターディップという）が発生してしまい、ｐｐｂレベルのフッ化物イオンのピークの確認が困難となり、定量性に問題が生じる。このウォーターディップは、試料の導電率が低いほど、すなわち、きれいな水ほど、ベースラインを基準として下向き（負）のピークとして現れる。これは、炭酸塩を含有する溶離液からなる移動相を使用すると、移動相の導電率よりも試料溶液中の水の導電率の方が小さいことに起因する。つまり、試料溶液がカラムで分離されると最初に水が溶出するので、その水のバンドが検出器に到達したときに導電率が下がり、そのため検出器の検出信号が負側（下側）に振れるためである。【０００５】
このウォーターディップは、陰イオンのうち、特に最初に溶出するフッ化物イオンの定量性に与える影響が大きい。そこで、その影響を抑える方法として、ウォーターディップ自体が発生しないようにする方法が提案されている。その提案の方法では、フッ化物イオンを含有する試料溶液の塩濃度が移動相の溶離液の塩濃度と等しくなるように試料溶液にも炭酸塩を含有させる方法である（特許文献１参照。）。【０００６】
【特許文献１】特開平１−２９９４５７号公報
【特許文献２】特開２０００−３５６６３０号公報
【発明の開示】
【発明が解決しようとする課題】
【０００７】
しかしながら、フッ化物イオン含有試料溶液の塩濃度を移動相の溶離液の塩濃度に合致させる方法は、塩濃度調整が手作業である場合が多いので塩濃度が等しくならず、試料溶液調製時に誤差が生じるだけでなく、目的とするフッ化物イオンの濃度を下げる場合もあることから、ウォーターディップの影響を回避することができても別の誤差要因が発生する場合もある。【０００８】
本発明は、試料溶液にウォーターディップの影響を抑えるための何かの成分を添加する方法ではなく、移動相を構成する溶媒を調整することによりウォーターディップの影響を低減することを目的とするものである。
【課題を解決するための手段】
【０００９】
本発明の陰イオン測定方法は、イオンクロマトグラフィによる方法であり、以下の工程（Ａ）から（Ｅ）を含む。
（Ａ）炭酸塩を含有する溶離液中にアシル基（Ｒ−Ｃ＝Ｏ−）を有する有機酸を添加した移動相を調製する工程、
（Ｂ）測定対象イオンとして少なくともフッ化物イオンを含み、前記移動相の導電率よりも低い導電率をもつ試料溶液を調製する工程、
（Ｃ）前記試料溶液を前記移動相により分離カラムに導入して試料成分イオンに分離させる工程、
（Ｄ）前記分離カラムからの溶出液をサプレッサに導入して溶出液中の炭酸塩を炭酸に変換する工程、及び
（Ｅ）前記サプレッサを経た溶出液を導電率検出器に導いて溶出液中の陰イオンの導電率を検出する工程。【００１０】
移動相が炭酸塩を含有する溶離液であるからサプレッサ時にｐＨは５〜６になっている。酢酸のｐＫａ（酸解離定数）は４．５だからある程度解離が抑えられていると考えられる。サプレッサの陽イオン交換膜として例えば官能基としてスルフォン基をもつナフィオンを使用しているとすると、酢酸のアシル基が水のクラスター中のスルフォン基と水素結合して対イオンをなすと、ナフィオン層があたかも中和されたようになり、したがって大きい電気陰性度をもつフッ化物イオンＦ-に対するイオン交換膜の保持力が上がり、フッ化物イオンの溶出時間が遅れる。水の場合はスルフォン基が酢酸の対イオンにより中和されて水素結合が緩和され、ウォーターディップが改善されたものと考えられる。【００１１】
移動相の溶離液中に添加する有機酸としては、酢酸、プロピオン酸、クエン酸、コハク酸、安息香酸ナトリウム、酢酸アンモニウム、馬尿酸ナトリウム、酒石酸、リンゴ酸、マロン酸及び１８−クラウン−６エーテルからなる群（以下「Ａ群」という。）から選ばれた有機酸を用いる。これらのＡ群に属する有機酸を移動相に添加すると、ウォーターディップが軽減される。【００１２】
それらのＡ群に属する有機酸のうちでも、特に酢酸、プロピオン酸、コハク酸、安息香酸ナトリウム、酢酸アンモニウム、酒石酸、リンゴ酸、マロン酸及び１８−クラウン−６エーテルからなる群（以下「Ｂ」という。）の有機酸は、分離カラムやサプレッサ表面とフッ化物イオンとの間で相互作用を起こすことでフッ化物イオンの保持力を向上させるものである。その結果として、フッ化物イオンの溶出時間を遅くしてフッ化物イオンのピークをウォーターディップから離すことにより、ウォーターディップの影響を軽減してフッ化物イオンを正確にかつ容易に測定することを可能とする。【００１３】
それらのＡ群に属する有機酸のうちでも、特にクエン酸及び馬尿酸ナトリウムの群（以下「Ｃ」群という。）の有機酸は、カルボニル基（−Ｃ＝Ｏ）を２つ又は３つ持ち、その酸素原子の不対電子に伴うマイナスイオン（カウンターイオン）により、イオン排除の効果（酸のカウンターとなる強マイナスイオンの影響でフッ化物イオンが反発すること）を示し、フッ化物イオンの溶出を速め、分析時間を短縮できるという効果が得られる。この場合、フッ化物イオンのピークはこれらの有機酸を移動相に添加しない場合よりもウォーターディップに近づくことになるが、これらの有機酸を移動相に添加することによりウォーターディップ自体が軽減されているので、ウォーターディップの影響はこれらの有機酸を移動相に添加しない場合よりも軽減される。【００１４】
また、それらのＡ群に属する有機酸のうちでも、特にクエン酸、コハク酸、酒石酸及び１８−クラウン−６エーテルの群（以下「Ｄ」群という。）の有機酸は検出感度が高くなった。その理由として、クエン酸、コハク酸及び酒石酸はアシル基を２つ又は３つもつので、ｐＫａが２つ又は３つ存在し、ｐＫａが高い（即ちサプレッサで弱酸性付近になる）と導電率計位置では溶出した水素イオンの放出が多くなるので検出感度が高くなると考えられる。また、１８−クラウン−６エーテルは試料中のカリウムイオン等の陽イオンを包括して酸として作用するため、検出時の導電率が高くなり、同様に検出感度を高める効果が得られたと考えられる。
【発明の効果】
【００１５】
従来のイオン測定方法では、溶離液として炭酸ナトリウム水溶液等を用いた場合に、導電率を上げる余剰の炭酸ナトリウム等の炭酸塩をサプレッサで除去液としての硫酸により導電率の低い炭酸とすることで導電率検出器のベースラインの安定化を図っていたが、その炭酸がウォーターディップの原因となり、フッ化物イオンの測定を阻害していた。本発明では、溶離液として炭酸ナトリウム水溶液等を用いた移動相に上記のＡ群に属する有機酸を移動相に添加したので、ウォーターディップを軽減することができる。
【図面の簡単な説明】
【００１６】
【図１】イオンクロマトグラフの一例を示す流路図である。
【００１７】
【図２】酢酸を添加した実施例と有機酸を添加しない比較例のそれぞれのフッ化物イオンのクロマトグラムを示す図である。
【００１８】
【図３】表１に示した１１種類の有機酸をそれぞれ添加した移動相を使用した実施例と有機酸を添加しない比較例のそれぞれのフッ化物イオンのクロマトグラムを示す図である。
【００１９】
【図４】図３のクロマトグラム中の代表的なクロマトグラムを示す図である。
【発明を実施するための最良の形態】
【００２０】
図１は本発明が適用されるイオンクロマトグラフの一例を概略的に示したものである。分離カラム２には溶離液６を、デガッサ５を介して供給するために送液ポンプ４を備えた溶離液供給流路７が接続されている。デガッサ５は溶離液６中の気泡を除去するためのものである。溶離液供給流路７には試料を注入するインジェクタ８が配置されている。分離カラム２に注入された試料が分離カラム２中でそれぞれのイオンに分離され、分離カラム２からの溶出液流路９が導電率計セル１０に導かれて溶出液がそのセル１０を通過するときに導電率が検出される。セル１０を通過した液はドレインへ廃液として排出される。【００２１】
分離カラム２とセル１０の間の溶出液流路９には、カラム溶出液の導電率を高くしている炭酸イオンを除去して高感度測定を可能にするためにサプレッサ１４が配置されている。【００２２】
分離カラム２、サプレッサ１４及び導電率計セル１０はカラムオーブン２６に収容されて一定温度になるように温度調節されている。【００２３】
カラムオーブン２６の温度調節を行い、導電率計セル１０の検出信号を取り込んでイオンクロマトグラムを作成するために、カラムオーブン２６と導電率計セル１０には制御部としてパーソナルコンピュータ２８が接続されている。【００２４】
分離カラム２は陰イオン分析用カラムであり、例えば内径が４ｍｍで長さが２５０ｍｍの陰イオン分析用カラム（例えば、島津製作所製ＩＣ−ＳＡ２（ポリビニールアルコールゲル第四級アンモニウム基））からなるものを使用する。【００２５】
サプレッサ１４は容器内にイオン交換膜１６を間に挟んだ２枚の基板からなるものとすることができる。その場合、両基板の対向面にはイオン交換膜１６を挟んで対向するように流路が形成されている。一方の流路の入口はコネクタによって分離カラム２から溶出液が流される配管９に接続され、分離カラム２から溶出液がイオン交換膜１６の一方の面に沿って流れる。その流路の出口はコネクタによって導電率計セル１０につながる配管１８に接続されている。イオン交換膜１６を挟んで一方の流路と対向する他方の流路の入口にはイオン交換膜１６の他方の面に沿って除去液２０が流れるように、除去液２０が送液ポンプ２２により供給される除去液流路２４が接続されている。除去液２０はイオン交換膜１６のイオン性官能基を再生するものであり、この例では硫酸を使用している。イオン交換膜１６の他方の面に沿った流路の出口はドレインに接続されて、イオン交換膜１６の他方の面に沿って流れた除去液２０はドレインに排出される。【００２６】
イオン交換膜１６は陽イオン交換膜である。その陽イオン交換膜の一例は、ペルフルオロカーボン重合体にイオン交換のための官能基が結合したものとすることができる。ペルフルオロカーボン重合体は耐薬品性が高い。イオン交換のための官能基としては、スルホニル基又はカルボニル基などの酸性官能基を有し、交換しようとする陽イオンを水素イオン（Ｈ+）と交換する。具体的には、酸性官能基としてスルホニル基を有するイオン交換膜１６は、下記の化合物Ａと化合物Ｂとの共重合により得られた共重合体を薄膜化したのち、けん化処理をすることにより得ることができる。
（化合物Ａ）：ＣＦ2＝ＣＦ2
（化合物Ｂ）：ＣＦ2＝ＣＦ−Ｏ−ＣＦ2−ＣＦ(ＣＦ3)−Ｏ−ＣＦ2−ＣＦ2−ＳＯ2Ｆ
【００２７】
イオン交換膜１６は肉厚が１００μｍ〜３００μｍのものが好ましい。そのような肉厚があれば、２ＭＰａ以上の耐圧をもつことができる。【００２８】
サプレッサ１４ではイオン交換膜１６による吸着及び透析によってイオン交換膜１６の一方の面に沿って流れるカラム溶出液から不用な陽イオンがイオン交換膜１６で水素イオンと交換されて選択的に除去される。陽イオンと交換された水素イオンはカラム溶出液中の水酸化物イオンと反応して水に変換されるため、カラム溶出液の導電率が低くなり、検出器の導電率計セル１０での検出ノイズが小さくなる。イオン交換膜１６に吸着及び透析した陽イオンは除去液流路２４を流れる除去液である硫酸中の水素イオンと交換されて除去液中に放出される。
【００２９】
以下に測定の例を示す。
１）炭酸溶離液の作成
炭酸ナトリウム０.６３６ｇと炭酸水素ナトリウム１０.０８ｇを秤量し精製水を加えて１Ｌとし、溶離液原液（１０倍濃度）とする。【００３０】
この原液の１００ｍＬに１Ｍ酢酸２０μＬを加え、精製水で希釈して１Ｌとしたものが、表１に「（１）酢酸」として表示された実施例の分析用溶離液である。【００３１】
同様にして、酢酸に代えて、プロピオン酸、クエン酸などを用いて、表１の（２）から（１１）の有機酸含有溶離液を調整した。【００３２】
それに対し、有機酸を添加せずにこの原液を精製水で１０倍に希釈したものが表１の（１２）に示した比較例としての従来の溶離液である。【００３３】
【表１】
0005408249.tif 000002
【００３４】
「溶出時間（分）」はフッ化物イオンの溶出時間を示し、「改善効果」はウォーターディップの大きさが小さくなったことを意味するウォーターディップ改善効果を示し、「ＢＧ導電率（μS／ｃｍ）」はバックグランド導電率を示す。【００３５】
２）イオンクロマトグラフによる分析
図１に示すイオンクロマトグラフを用いて、（１）の酢酸を０．０２ｍＭ添加した溶離液と、（１２）の有機酸を添加しない比較例の従来の溶離液とをそれぞれ移動相に用いて測定したイオンクロマトグラムを図２に示す。試料はＦ-イオンを５０ｐｐｂ含む溶液であり、１０μＬをインジェクタから注入した。カラム温度は２５℃、移動相の流量は１.０ｍＬ／分、サプレッサ１４では除去液２０として２５ｍＮ硫酸を流量１．０ｍＬ／分で流した。Ａは有機酸を添加しないもので、そのベースラインがＢＬ１である。Ｂは酢酸を０．０２ｍＭ添加したもので、そのベースラインがＢＬ２である。Ｗはウォーターディップを表す。【００３６】
図２の結果によれば、移動相に酢酸を添加したことによりＦ-イオンのピークが現れる位置でのベースラインが安定化している。その理由の１つは、ウォーターディップが軽減されていることによるものである。他の１つの理由は、酢酸を添加したことによりＦ-イオンのピークの溶出時間が遅くなってウォーターディップの位置からより離れたことである。この分析条件での溶出時間は、有機酸を添加していない移動相の場合は３．３６３分であったのに対し、酢酸を添加した移動相の場合は３．７８８分であった。【００３７】
この分析条件で酢酸を添加した移動相を用いて同じ試料を１０回連続して測定した定量結果を表２に示す。濃度は検量線を用いて算出した。すなわち、標準試料を用いて測定した濃度とピーク面積に基づく検量線データを作成しておき、測定したクロマトグラムピークの面積値をその検量線に当てはめて濃度を算出した。ＣＶは変化率であり、標準偏差／平均値である。【００３８】
【表２】
0005408249.tif 000003
【００３９】
さらに、表１に示した（１）から（１１）の有機酸をそれぞれ含有した実施例の溶離液と、有機酸を含有しない比較例の溶離液（１２）をそれぞれ移動相として図１のイオンクロマトグラフによりフッ化物イオンの測定を行った結果を図３に示す。試料はフッ化物イオン５００ｐｐｂを含む溶液であり、その１０μＬをインジェクタ８から注入した。
この測定では、カラム温度は３０℃とした。移動相の流量は１.０ｍＬ／分である。サプレッサ１４では除去液２０として１００ｍＮ硫酸を流量０.１５ｍＬ／分で流した。【００４０】
図３のクロマトグラムは重なっていてわかりにくいので、そのうちの代表的なものを図４に示す。図４では横軸の時間軸を拡大して示している。【００４１】
安息香酸ナトリウムを添加した移動相をした場合のクロマトグラムは、酢酸、プロピオン酸、コハク酸、安息香酸ナトリウム、酢酸アンモニウム、酒石酸、リンゴ酸、マロン酸及び１８−クラウン−６エーテルからなるＢ群の有機酸を代表するのであり、保持時間が有機酸を添加しない比較例のものに比べて長くなっている。図３のクロマトグラムを詳細にみると、安息香酸ナトリウム以外のＢ群の有機酸を添加した移動相を使用したものはいずれも保持時間が有機酸を添加しない比較例のものに比べて長くなっている。
【００４２】
クエン酸を添加した移動相をした場合のクロマトグラムはクエン酸及び馬尿酸ナトリウムからなるＣ群の有機酸を代表するのであり、保持時間が有機酸を添加しない比較例のものに比べて短くなっている。図３のクロマトグラムを詳細にみると、馬尿酸ナトリウムを添加した移動相を使用したものでも保持時間が有機酸を添加しない比較例のものに比べて短くなっている。【００４３】
ＤＬ酒石酸を添加した移動相をした場合のクロマトグラムはクエン酸、コハク酸、酒石酸及び１８−クラウン−６エーテルからなるＤ群の有機酸を代表するのであり、有機酸を添加しない比較例のものに比べてピークの高さが高くなって検出感度が上がっている。図３のクロマトグラムを詳細にみると、Ｄ群に属する他の有機酸を添加した移動相を使用した場合でも感度が有機酸を添加しない比較例のものよりも高くなっている。
【００４４】
図３のクロマトグラムの結果から求められたフッ化物イオンの溶出時間、ウォーターディップ改善効果の有無、及びバックグランド導電率の測定結果を表１に示す。ウォーターディップ改善効果は図３に図示された部分からは判断できないが、表示範囲を負領域側にシフトさせてウォーターディップの大きさを比較することにより判断した。いずれの有機酸を添加した移動相を使用した場合もウォーターディップの大きさが小さくなって改善されていることが確認できた。バックグランド導電率の測定結果は、有機酸を添加したにもかかわらず、測定の妨げになる導電率の増加は見られないことを示している。
【符号の説明】
【００４５】
２      分離カラム
４      送液ポンプ
６      溶離液
８      インジェクタ
１０      導電率計セル
１４      サプレッサ
２６      カラムオーブン
２８      パーソナルコンピュータ
【図１】
0005408249.tif 000004
【図２】
0005408249.tif 000005
【図３】
0005408249.tif 000006
【図４】
0005408249.tif 000007